(57)【特許請求の範囲】
【請求項１】
二次電池を電源として動作し、前記二次電池の充放電を制御することによって前記二次電池を保護する電池保護集積回路であって、
前記二次電池の正極に接続される電源端子と、
前記二次電池の負極に接続されるグランド端子と、
負荷の低電位側電源端子に接続されるマイナス端子に接続される入力端子と、
前記マイナス端子を基準電位とする制御信号が入力される制御端子と、
前記制御端子から入力される前記制御信号を、前記入力端子の電位を基準に、コンパレータにより検出する信号検出回路と、
前記信号検出回路により検出された前記制御信号に基づいて、前記負極と前記マイナス端子との間の充放電経路に挿入されるスイッチ回路を制御する制御回路とを備え、
前記制御端子と前記グランド端子との間に電流経路を有さず、
前記コンパレータは、前記電源端子と前記入力端子との間の、前記負荷の側から供給される電源電圧で動作する、電池保護集積回路。
【請求項２】
前記制御回路は、
前記信号検出回路により検出された前記制御信号を、前記グランド端子の電位を基準とする第２の制御信号に変換するレベルシフト回路と、
前記第２の制御信号に基づいて、前記スイッチ回路を制御するスイッチ制御回路とを有し、
前記スイッチ制御回路は、前記グランド端子の電位を基準に動作する、請求項１に記載の電池保護集積回路。
【請求項３】
前記スイッチ回路は、前記負極に接続される第１のスイッチ素子と、前記マイナス端子に接続される第２のスイッチ素子とを有し、
前記スイッチ制御回路は、前記第２の制御信号に基づいて、前記第１のスイッチ素子を制御する第１のスイッチ制御信号と、前記第２のスイッチ素子を制御する第２のスイッチ制御信号とを出力する、請求項２に記載の電池保護集積回路。
【請求項４】
前記制御回路は、前記第２のスイッチ制御信号を、前記入力端子の電位を基準とする第３のスイッチ制御信号に変換する第２のレベルシフト回路を有し、
前記第２のスイッチ素子は、前記第３のスイッチ制御信号によって制御される、請求項３に記載の電池保護集積回路。
【請求項５】
前記制御端子と前記入力端子との間に接続される抵抗を備える、請求項１から４のいずれか一項に記載の電池保護集積回路。
【請求項６】
二次電池を電源として動作し、前記二次電池の充放電を制御することによって前記二次電池を保護する電池保護装置であって、
前記二次電池の正極に接続されるプラス端子と、
負荷の低電位側電源端子に接続されるマイナス端子と、
前記マイナス端子を基準電位とする制御信号が入力される制御入力端子と、
前記制御入力端子から入力される前記制御信号を前記マイナス端子の電位を基準にコンパレータにより検出する信号検出回路と、
前記信号検出回路により検出された前記制御信号に基づいて、前記プラス端子と前記マイナス端子との間の出力電圧を制御する制御回路とを備え、
前記制御入力端子と前記二次電池の負極との間に電流経路を有さず、
前記コンパレータは、前記プラス端子と前記マイナス端子との間の、前記負荷の側から供給される電源電圧で動作する、電池保護装置。
【請求項７】
前記制御入力端子と前記マイナス端子との間に接続される抵抗を備える、請求項６に記載の電池保護装置。
【請求項８】
二次電池と、
前記二次電池の正極に接続されるプラス端子と、
負荷の低電位側電源端子に接続されるマイナス端子と、
前記マイナス端子を基準電位とする制御信号が入力される制御入力端子と、
前記二次電池の充放電を制御することによって前記二次電池を保護する充放電制御回路を備え、
前記充放電制御回路は、
前記制御入力端子から入力される前記制御信号を前記マイナス端子の電位を基準にコンパレータにより検出する信号検出回路と、
前記信号検出回路により検出された前記制御信号に基づいて、前記プラス端子と前記マイナス端子との間の出力電圧を制御する制御回路とを有し、
前記制御入力端子と前記二次電池の負極との間に電流経路を有さず、
前記コンパレータは、前記プラス端子と前記マイナス端子との間の、前記負荷の側から供給される電源電圧で動作する、電池パック。
【請求項９】
前記制御入力端子と前記マイナス端子との間に接続される抵抗を備える、請求項８に記載の電池パック。
【発明の詳細な説明】
【技術分野】
【０００１】
本発明は、電池保護集積回路、電池保護装置及び電池パックに関する。
【背景技術】
【０００２】
従来、二次電池の負極と、負荷のグランドに接続されるマイナス端子との間の充放電経路に挿入される充放電制御スイッチをオフすることによって、前記二次電池を保護する装置が知られている（例えば、特許文献１を参照）。この装置は、充放電制御スイッチをオフさせる外部信号を、二次電池のグランド電位を基準に検出する外部信号検出回路を備えるものである。
【先行技術文献】
【特許文献】
【０００３】
【特許文献１】特開２０１２−２５７４０７号公報
【発明の概要】
【発明が解決しようとする課題】
【０００４】
しかしながら、上述の従来技術のように、二次電池のグランド電位を基準に信号を検出する回路では、負荷のグランドと二次電池のグランドとの間の電位差により、負荷のグランドに接続されるマイナス端子を基準電位とする制御信号を誤検出する可能性がある。
【０００５】
そこで、負荷のグランドに接続されるマイナス端子を基準電位とする制御信号を誤検出する可能性を低減できる電池保護集積回路の提供を目的とする。
【課題を解決するための手段】
【０００６】
一つの案では、
二次電池を電源として動作し、前記二次電池の充放電を制御することによって前記二次電池を保護する電池保護集積回路であって、
前記二次電池の正極に接続される電源端子と、
前記二次電池の負極に接続されるグランド端子と、
負荷の低電位側電源端子に接続されるマイナス端子に接続される入力端子と、
前記マイナス端子を基準電位とする制御信号が入力される制御端子と、
前記制御端子から入力される前記制御信号を、前記入力端子の電位を基準に、コンパレータにより検出する信号検出回路と、
前記信号検出回路により検出された前記制御信号に基づいて、前記負極と前記マイナス端子との間の充放電経路に挿入されるスイッチ回路を制御する制御回路とを備え、
前記制御端子と前記グランド端子との間に電流経路を有さず、
前記コンパレータは、前記電源端子と前記入力端子との間の、前記負荷の側から供給される電源電圧で動作する、電池保護集積回路が提供される。
【発明の効果】
【０００７】
一態様によれば、負荷のグランドに接続されるマイナス端子を基準電位とする制御信号を誤検出する可能性を低減することができる。
【図面の簡単な説明】
【０００８】
【図１】電池保護集積回路を備える電池パックの構成の一例と当該電池パックに接続される電子機器の構成の一例とを示す図である。
【図２】電池保護集積回路の構成の一例を示す図である。
【図３】電流ループの不発生を示す説明図である。
【図４】電池保護集積回路を備える電池パックの構成の一例と当該電池パックに接続される電子機器の構成の一例とを示す図である。
【発明を実施するための形態】
【０００９】
以下、本発明の実施形態を図面に従って説明する。
【００１０】
図１は、電池パック１００及び電子機器１３０の一例を示す構成図である。電池パック１００は、プラス端子５とマイナス端子６に接続される電子機器１３０に電力を供給可能な二次電池２００と、二次電池２００を保護する電池保護装置１１０とを内蔵して備える。電池パック１００は、電子機器１３０に内蔵されてもよいし、外付けされてもよい。
【００１１】
電子機器１３０は、電池パック１００の二次電池２００を電源とする負荷の一例である。電子機器１３０の具体例として、携帯可能な携帯端末装置などが挙げられる。携帯端末装置の具体例として、携帯電話、スマートフォン、タブレット型コンピュータ、ゲーム機、テレビ、音楽や映像のプレーヤー、カメラなどの電子機器が挙げられる。
【００１２】
二次電池２００の具体例として、リチウムイオン電池やリチウムポリマ電池などが挙げられる。
【００１３】
電池保護装置１１０は、二次電池２００を電源として動作し、二次電池２００の充放電を制御することによって二次電池２００を過電流等から保護する電池保護装置の一例である。電池保護装置１１０は、充放電制御回路１４０と、電池正極接続端子３と、電池負極接続端子４と、プラス端子５と、マイナス端子６と、制御入力端子１０とを備える。
【００１４】
充放電制御回路１４０は、二次電池２００の充放電を制御することによって二次電池２００を過電流等から保護する充放電制御回路の一例である。充放電制御回路１４０は、スイッチ回路１３と、電池保護集積回路１２０と、抵抗１と、キャパシタ２と、抵抗９とを備える。
【００１５】
電池正極接続端子３は、二次電池２００の正極２０１に接続される端子であり、電池負極接続端子４は、二次電池２００の負極２０２に接続される端子である。プラス端子５は、電子機器１３０の機器プラス端子１３１に接続される端子の一例であり、機器プラス端子１３１を介して、電子機器１３０の機器電源経路１４１に接続される。マイナス端子６は、電子機器１３０の機器マイナス端子１３３に接続される端子の一例であり、機器マイナス端子１３３を介して、電子機器１３０の機器グランド１３９に接続される。制御入力端子１０は、電子機器１３０の制御出力端子１３２に接続される端子の一例であり、制御出力端子１３２を介して、電子機器１３０の制御部１３４に接続される。
【００１６】
電池正極接続端子３とプラス端子５とは、プラス側電源経路８によって接続され、電池負極接続端子４とマイナス端子６とは、マイナス側電源経路７によって接続される。プラス側電源経路８は、電池正極接続端子３とプラス端子５との間の充放電経路の一例であり、マイナス側電源経路７は、電池負極接続端子４とマイナス端子６との間の充放電経路の一例である。
【００１７】
電池保護装置１１０は、スイッチ回路１３を備える。スイッチ回路１３は、第１のマイナス側接続点７ａと第２のマイナス側接続点７ｂとの間のマイナス側電源経路７に直列に挿入される。スイッチ回路１３は、例えば、充電制御トランジスタ１１と放電制御トランジスタ１２とが直列に接続された直列回路である。充電制御トランジスタ１１のオフにより、二次電池２００の充電電流が流れるマイナス側電源経路７が遮断され、二次電池２００の充電電流の流れが禁止される。放電制御トランジスタ１２のオフにより、二次電池２００の放電電流が流れるマイナス側電源経路７が遮断され、二次電池２００の放電電流の流れが禁止される。
【００１８】
充電制御トランジスタ１１と放電制御トランジスタ１２は、それぞれ、例えば、ＭＯＳＦＥＴ（Metal  Oxide   Semiconductor  Field  Effect  Transistor）である。充電制御トランジスタ１１は、充電制御トランジスタ１１の寄生ダイオードの順方向が二次電池２００の放電方向に一致するようにマイナス側電源経路７に挿入される。放電制御トランジスタ１２は、放電制御トランジスタ１２の寄生ダイオードの順方向が二次電池２００の充電方向に一致するようにマイナス側電源経路７に挿入される。
【００１９】
電池保護装置１１０は、電池保護集積回路１２０を備える。電池保護集積回路１２０は、二次電池２００を電源として動作し、二次電池２００の充放電を制御することによって二次電池２００を過電流等から保護する電池保護集積回路の一例である。電池保護集積回路１２０は、二次電池２００から給電されて二次電池２００を保護する。
【００２０】
電池保護集積回路１２０は、例えば、電源端子９１と、グランド端子９２と、充電制御端子９３と、放電制御端子９４と、入力端子９５と、制御端子９６とを備える。
【００２１】
電源端子９１は、プラス側接続点８ａ及び電池正極接続端子３を介して二次電池２００の正極２０１に接続される正極側電源端子であり、ＶＤＤ端子と呼ばれることがある。電源端子９１は、例えば、プラス側電源経路８に一端が接続される抵抗１の他端と、マイナス側電源経路７に一端が接続されるキャパシタ２の他端との接続点に接続される。キャパシタ２の一端は、電池負極接続端子４と放電制御トランジスタ１２との間のマイナス側電源経路７に第１のマイナス側接続点７ａで接続される。
【００２２】
グランド端子９２は、第１のマイナス側接続点７ａ及び電池負極接続端子４を介して二次電池２００の負極２０２に接続される負極側電源端子であり、ＶＳＳ端子と呼ばれることがある。グランド端子９２は、マイナス側電源経路７に第１のマイナス側接続点７ａで接続され、放電制御トランジスタ１２のソースに接続される。
【００２３】
充電制御端子９３は、二次電池２００の充電を禁止する信号を出力する端子であり、ＣＯＵＴ端子と呼ばれることがある。充電制御端子９３は、充電制御トランジスタ１１の制御電極（例えばＭＯＳＦＥＴの場合、ゲート）に接続される。
【００２４】
放電制御端子９４は、二次電池２００の放電を禁止する信号を出力する端子であり、ＤＯＵＴ端子と呼ばれることがある。放電制御端子９４は、放電制御トランジスタ１２の制御電極（例えば、ＭＯＳＦＥＴの場合、ゲート）に接続される。
【００２５】
入力端子９５は、電子機器１３０の機器グランド１３９に接続されるマイナス端子６に接続される端子であり、Ｖ−端子と呼ばれることがある。入力端子９５は、マイナス端子６と充電制御トランジスタ１１との間のマイナス側電源経路７に抵抗９を介して第２のマイナス側接続点７ｂで接続される。入力端子９５は、抵抗９を介して、充電制御トランジスタ１１のソースに接続される。
【００２６】
制御端子９６は、マイナス端子６を基準電位とする制御信号Ａが制御入力端子１０を介して入力される端子であり、ＣＮＴ端子と呼ばれることがある。制御入力端子１０は、制御出力端子１３２に接続される。
【００２７】
電池保護集積回路１２０は、二次電池２００の保護動作を行う。電池保護集積回路１２０は、異常検出回路２１と、制御回路９８とを備える。異常検出回路２１は、二次電池２００の電流又は電圧の異常を検出する手段の一例である。制御回路９８は、異常検出回路２１による異常検出結果に基づいて、スイッチ回路１３のトランジスタ１１，１２のオンオフを制御するスイッチ制御回路４４（図２参照）を有する。スイッチ制御回路４４は、例えば、論理回路によって構成される。
【００２８】
制御回路９８は、例えば、二次電池２００を過充電から保護する動作（過充電保護動作）を行う。例えば、異常検出回路２１は、電源端子９１とグランド端子９２との間の電圧を検出することによって、二次電池２００の電池電圧（セル電圧）を監視する。異常検出回路２１は、所定の過充電検出電圧Ｖｄｅｔ１以上のセル電圧を検知することにより、二次電池２００の過充電が検出されたとして、過充電検出信号を出力する。
【００２９】
過充電検出信号を検知したスイッチ制御回路４４は、所定の過充電検出遅延時間ｔＶｄｅｔ１の経過を待って、トランジスタ１１をオフさせるローレベルの制御信号を充電制御端子９３から出力する過充電保護動作を実行する。トランジスタ１１がオフされることにより、トランジスタ１２のオンオフ状態にかかわらず、二次電池２００が過充電されることを防止することができる。
【００３０】
制御回路９８は、例えば、二次電池２００を過放電から保護する動作（過放電保護動作）を行う。例えば、異常検出回路２１は、電源端子９１とグランド端子９２との間の電圧を検出することによって、二次電池２００の電池電圧（セル電圧）を監視する。異常検出回路２１は、所定の過放電検出電圧Ｖｄｅｔ２以下のセル電圧を検知することにより、二次電池２００の過放電が検出されたとして、過放電検出信号を出力する。
【００３１】
過放電検出信号を検知した制御回路９８のスイッチ制御回路４４は、所定の過放電検出遅延時間ｔＶｄｅｔ２の経過を待って、トランジスタ１２をオフさせるローレベルの制御信号を放電制御端子９４から出力する過放電保護動作を実行する。トランジスタ１２がオフされることにより、トランジスタ１１のオンオフ状態にかかわらず、二次電池２００が過放電されることを防止することができる。
【００３２】
制御回路９８は、例えば、二次電池２００を放電過電流から保護する動作（放電過電流保護動作）を行う。例えば、異常検出回路２１は、入力端子９５とグランド端子９２との間の電圧を検出することによって、マイナス端子６と電池負極接続端子４との間の電圧Ｐ−を監視する。異常検出回路２１は、所定の放電過電流検出電圧Ｖｄｅｔ３以上の電圧Ｐ−を検知することにより、マイナス端子６に流れる異常電流として放電過電流が検出されたとして、放電過電流検出信号を出力する。
【００３３】
放電過電流検出信号を検知したスイッチ制御回路４４は、所定の放電過電流検出遅延時間ｔＶｄｅｔ３の経過を待って、トランジスタ１２をオフさせるローレベルの制御信号を放電制御端子９４から出力する放電過電流保護動作を実行する。トランジスタ１２がオフされることにより、トランジスタ１１のオンオフ状態にかかわらず、二次電池２００を放電する方向に過電流が流れることを防止することができる。
【００３４】
ここで、トランジスタ１２が少なくともオンしている状態で、二次電池２００を放電する放電電流が流れることにより電圧Ｐ−が上昇するのは、トランジスタ１２のオン抵抗による電圧上昇が生ずるからである。
【００３５】
制御回路９８は、例えば、二次電池２００を充電過電流から保護する動作（充電過電流保護動作）を行う。例えば、異常検出回路２１は、入力端子９５とグランド端子９２との間の電圧を検出することによって、マイナス端子６と電池負極接続端子４との間の電圧Ｐ−を監視する。異常検出回路２１は、所定の充電過電流検出電圧Ｖｄｅｔ４以下の電圧Ｐ−を検知することにより、マイナス端子６に流れる異常電流として充電過電流が検出されたとして、充電過電流検出信号を出力する。
【００３６】
充電過電流検出信号を検知したスイッチ制御回路４４は、所定の充電過電流検出遅延時間ｔＶｄｅｔ４の経過を待って、トランジスタ１１をオフさせるローレベルの制御信号を充電制御端子９３から出力する充電過電流保護動作を実行する。トランジスタ１１がオフされることにより、トランジスタ１２のオンオフ状態にかかわらず、二次電池２００を充電する方向に過電流が流れることを防止することができる。
【００３７】
ここで、トランジスタ１１が少なくともオンしている状態で、二次電池２００を充電する充電電流が流れることにより電圧Ｐ−が低下するのは、トランジスタ１１のオン抵抗による電圧低下が生ずるからである。
【００３８】
電池保護集積回路１２０は、信号検出回路９７を備える。信号検出回路９７は、制御入力端子１０を介して制御端子９６から入力される制御信号Ａを、入力端子９５の電位を基準に検出する信号検出回路の一例である。制御信号Ａは、マイナス端子６を基準電位とする信号であり、電子機器１３０の制御部１３４から供給される。制御部１３４は、ＣＰＵを備えたマイクロコンピュータでもよいし、論理回路でもよい。
【００３９】
マイナス端子６と機器グランド１３９とはほぼ同電位である。したがって、制御部１３４は、機器グランド１３９を基準電位とする制御信号Ａを制御出力端子１３２から出力することよって、マイナス端子６を基準電位とする制御信号Ａが、制御入力端子１０を介して制御端子９６に入力される。
【００４０】
信号検出回路９７は、マイナス端子６を基準電位とする制御信号Ａを、マイナス端子６に接続される入力端子９５の電位を基準に検出する。これにより、信号検出回路９７は、機器グランド１３９とほぼ同じ基準電位で制御信号Ａを検出できるので、機器グランド１３９と二次電池２００のグランドとの間に電位差が生じても、制御信号Ａを誤検出する可能性を低減できる。二次電池２００のグランドとは、例えば、負極２０２と放電制御トランジスタ１２のソースとの間の電流経路である。
【００４１】
また、制御端子９６がオープンの時に制御端子９６がハイインピーダンスになることを防止するため、プルダウン抵抗８３が制御端子９６に接続されている場合がある。
【００４２】
仮に、信号検出回路９７が、マイナス端子６を基準電位とする制御信号Ａを、グランド端子９２の電位を基準に検出する回路の場合を考える。この場合、信号検出回路９７と入力端子９５との間のグランド線８７は存在せずに、信号検出回路９７とグランド端子９２との間のグランド線８６が存在する（図３参照）。この場合、プルダウン抵抗８３は制御端子９６とグランド端子９２との間に接続されるので、二次電池２００からの余計な放電電流１３７が、抵抗１３４ｂ、ダイオード１３４ａ、制御端子９６、プルダウン抵抗８３、グランド線８６、グランド端子９２、負極２０２の順に流れる可能性がある。
【００４３】
抵抗１３４ｂは、例えば、機器電源経路１４１と機器グランド１３９との間の抵抗分を表し、ダイオード１３４ａは、例えば、機器グランド１３９と制御出力端子１３２との間の寄生ダイオードを表す。
【００４４】
一方、本実施形態のように、信号検出回路９７が、マイナス端子６を基準電位とする制御信号Ａを、入力端子９５の電位を基準に検出する回路の場合、グランド線８６は存在せずに、グランド線８７が存在する。この場合、プルダウン抵抗８３は制御端子９６と入力端子９５との間に接続される。しかし、プルダウン抵抗８３が制御端子９６と入力端子９５との間に接続されていても、二次電池２００からの余計な放電電流１３７が、電子機器１３０の抵抗１３４ｂ及びダイオード１３４ａを経由して流れない。
【００４５】
例えば図１において、制御回路９８は、信号検出回路９７により検出された制御信号Ａに基づいて、スイッチ回路１３のスイッチ動作を制御することにより、プラス端子５とマイナス端子６との間の出力電圧を制御できる。プラス端子５とマイナス端子６との間の出力電圧とは、プラス端子５とマイナス端子６との電位差であり、電池パック１００の出力電圧に相当する。
【００４６】
例えば、外部電源１５０から制御部１３４に一対の給電端子１３５，１３６を介して給電されている状態で、制御部１３４は、スイッチ回路１３を強制的にオフさせるハイレベルの制御信号Ａを出力する。この場合、制御回路９８は、ハイレベルの制御信号Ａが信号検出回路９７により検出されている期間、スイッチ回路１３をオフする（つまり、充電制御トランジスタ１２と放電制御トランジスタ１３をいずれもオフする）。
【００４７】
スイッチ回路１３がオフすると、機器グランド１３９と二次電池２００のグランドとは必ずしも同電位になるとは限らない。しかしながら、本実施形態の信号検出回路９７は、機器グランド１３９とほぼ同じ基準電位で制御信号Ａを検出できるので、機器グランド１３９と二次電池２００のグランドとの間に電位差が生じても、制御信号Ａを誤検出する可能性を低減できる。よって、制御回路９８は、スイッチ回路１３のオフを保持し続けることができる。
【００４８】
信号検出回路９７は、例えば、制御信号Ａを検出するコンパレータ８１を有する。コンパレータ８１は、制御端子９６が接続される非反転入力端子と、基準電圧８２が入力される反転入力端子とを有する。基準電圧８２は、入力端子９５の電位を基準とする電圧である。コンパレータ８１は、入力端子９５と電源端子９１との間の電源電圧で動作する。コンパレータ８１は、制御信号Ａの電圧が基準電圧８２よりも大きい場合、ハイレベルの信号を制御回路９８に対して出力し、制御信号Ａの電圧が基準電圧８２よりも小さい場合、ローレベルの信号を制御回路９８に対して出力する。
【００４９】
図２に示されるように、制御回路９８は、第１のレベルシフト回路８４と、スイッチ制御回路４４と、第２のレベルシフト回路８５とを有する。グランド端子９２の電位を基準に動作するスイッチ制御回路４４の誤動作を防止するため、第１のレベルシフト回路８４は、信号検出回路９７により検出された制御信号Ａ（つまり、信号検出回路９７から出力された制御信号ＡＡ）を、グランド端子９２の電位を基準とする第２の制御信号Ｂに変換する。スイッチ制御回路４４は、第２の制御信号Ｂに基づいて、スイッチ回路１３のスイッチ動作を制御する。
【００５０】
スイッチ制御回路４４は、第２の制御信号Ｂに基づいて、放電制御スイッチ１２を制御する第１のスイッチ制御信号Ｃを出力する。放電制御スイッチ１２は、二次電池２００の負極２０２に接続される第１のスイッチ素子の一例である。第１のスイッチ制御信号Ｃは、グランド端子９２の電位を基準とする信号であり、放電制御端子９４を介して放電制御スイッチ１２のゲートに入力される。グランド端子９２は、放電制御トランジスタ１２のソースが接続される二次電池２００の負極２０２に接続される。したがって、第１のスイッチ制御信号Ｃの電圧は、放電制御トランジスタ１２のゲート−ソース間に印加されるので、放電制御トランジスタ１２の誤動作を防止することができる。
【００５１】
スイッチ制御回路４４は、第２の制御信号Ｂがスイッチ制御回路４４に入力されてから、過放電検出遅延時間ｔＶｄｅｔ２又は放電過電流検出遅延時間ｔＶｄｅｔ３の経過を待って、第１のスイッチ制御信号Ｃを出力する。これにより、制御信号Ａが信号検出回路９７により検出されてから放電制御トランジスタ１２がオフ動作するまでの遅延時間を設けることができる。
【００５２】
スイッチ制御回路４４は、第２の制御信号Ｂに基づいて、充電制御トランジスタ１１を制御する第２のスイッチ制御信号Ｄを出力する。充電制御トランジスタ１１は、マイナス端子６に接続される第２のスイッチ素子の一例である。第２のスイッチ制御信号Ｄは、グランド端子９２の電位を基準とする信号であり、第２のレベルシフト回路８５に入力される。
【００５３】
第２のレベルシフト回路８５は、第２のスイッチ制御信号Ｄを、入力端子９５の電位を基準とする第３のスイッチ制御信号Ｅに変換する。第３のスイッチ制御信号Ｅは、充電制御端子９３を介して充電制御トランジスタ１１のゲートに入力され、充電制御トランジスタ１１を制御する信号である。入力端子９５は、充電制御トランジスタ１１のソースが接続されるマイナス端子６に接続される。したがって、第３のスイッチ制御信号Ｅは、充電制御トランジスタ１１のゲート−ソース間に印加されるので、充電制御トランジスタ１１の誤動作を防止することができる。
【００５４】
スイッチ制御回路４４は、第２の制御信号Ｂがスイッチ制御回路４４に入力されてから、過充電検出遅延時間ｔＶｄｅｔ１又は充電過電流検出遅延時間ｔＶｄｅｔ４の経過を待って、第２のスイッチ制御信号Ｄを出力する。これにより、制御信号Ａが信号検出回路９７により検出されてから充電制御トランジスタ１１がオフ動作するまでの遅延時間を設けることができる。
【００５５】
図４は、制御信号Ａの出力形態の他の一例を説明するための図である。電子機器１３０は、少なくとも一つ以上のボタン１３８を備える。制御部１３４は、ボタン１３８の押下が検出されているとき、ハイレベルの制御信号Ａを出力し、ボタン１３８の押下が検出されていないとき、ローレベルの制御信号Ａを出力する。制御部１３４は、例えば、押下検出端子１３８ａと機器電源経路１４１との短絡が検出されているとき、ボタン１３８が押下されていると検出する。
【００５６】
制御回路９８は、ハイレベルの制御信号Ａが信号検出回路９７により検出されている時間が所定の遅延時間ＴＤを超えた時、スイッチ回路１３をオフする。これにより、電池パック１００の出力が遮断されるので、電子機器１３０の電源を強制的に遮断することができる。遅延時間ＴＤは、制御回路９８内で予め設定されている時間である。ボタン１３８が押下されてから電子機器１３０の電源が遮断されるまでの時間を、遅延時間ＴＤによって設定することができる。
【００５７】
電子機器１３０の電源が遮断されると、制御信号Ａの出力は停止するので（制御信号Ａのレベルは、ローレベルとなるので）、制御回路９８の動作モードは、復帰モードに移行する。
【００５８】
このように、本実施形態によれば、制御信号Ａが信号検出回路９７に入力されることにより、制御回路９８は、二次電池２００と電子機器１３０とを、スイッチ回路１３のオフによって、電気的に切り離しできる。これにより、例えば、電子機器１３０と二次電池２００とが接続されていても、電子機器１３０と二次電池２００とを電気的に切り離しできるので、二次電池２００の出力に影響されることなく、電子機器１３０の評価を実施することができる。また、電子機器１３０と二次電池２００とを電気的に切り離すことにより、電子機器１３０の暴走を強制的に停止させることができる。
【００５９】
以上、電池保護集積回路を実施形態により説明したが、本発明は上記実施形態に限定されるものではない。他の実施形態の一部又は全部との組み合わせや置換などの種々の変形及び改良が、本発明の範囲内で可能である。
【符号の説明】
【００６０】
５  プラス端子
６  マイナス端子
７  マイナス側電源経路
１０  制御入力端子
１３  スイッチ回路
９１  電源端子
９２  グランド端子
９５  入力端子
９６  制御端子
９７  信号検出回路
９８  制御回路
１００  電池パック
１１０  電池保護装置
１２０  電池保護集積回路
１３０  電子機器
１３９  機器グランド
１４０  充放電制御回路
２００  二次電池
【図１】
0006558072.tif 000002
【図２】
0006558072.tif 000003
【図３】
0006558072.tif 000004
【図４】
0006558072.tif 000005